(57)【要約】【課題】  耳への負担小さく、スピーカーなどを配置した筐体部を耳面上に確実に保持できる耳装着構造を提供する。【解決手段】  リズム発生装置１０は、筐体１１に拡張板１２を固定して筐体部を構成し、拡張板１２の両端に耳拘束部材１３が接続され、耳拘束部材１３を耳１４の根元に周回させた状態で筐体１１が耳面上に位置決めされ、筐体１１と耳拘束部材１３の間に耳の外耳の広がりが緩く保持される。【選択図】  図１
2004361910.tif 000002
【特許請求の範囲】
【請求項１】
音発生手段を備えて装着状態で耳の表面上に位置決めされる筐体部と、筐体部に接続されて耳の裏面側に位置する耳拘束部材とを有する耳装着構造において、
耳拘束部材は、外耳の３方向を拘束して残る１方向へ外耳の相対移動の余地を持たせた状態で両端を筐体部に接続されていることを特徴とする耳装着構造。
【請求項２】
請求項１の耳装着構造において、
耳拘束部材は、筐体部に対する開き角度または開き間隔を変更可能な形式で筐体部に接続され、
筐体部へ向かって耳拘束部材を押し付けるバネ手段を設け、耳拘束部材と筐体部の間隔に外耳を挟みこんで筐体部を耳面に押し付けることを特徴とする耳装着構造。
【請求項３】
請求項１、２の耳装着構造において、
耳拘束部材は、その両端で筐体部にスライド保持されて筐体部とほぼ平行な位置関係を保持したまま耳拘束部材を筐体部に対してスライド可能で、
バネ手段は、このスライド間隔を狭める方向に耳拘束部材を付勢することを特徴とする耳装着構造。
【請求項４】
請求項１、２の耳装着構造において、耳拘束部材は、使用者の耳に適合させて自在に曲げ形状を調整可能な柔軟で弾性を持った部材であることを特徴とする耳装着構造。
【請求項５】
外耳の裏面に押し付けられる耳拘束部材を有して、音発生手段を設けた筐体部が外耳の表面に押し付けられる耳装着構造において、
耳拘束部材は、外耳の根元を少なくとも半周して開放端を筐体部よりも高い位置でそれぞれ筐体部に接続されていることを特徴とする耳装着構造。
【請求項６】
外耳の裏面に押し付けられる耳拘束部材を有して、音発生手段を設けた筐体部が外耳の表面に押し付けられる耳装着構造において、
耳拘束部材は、外耳の根元を少なくとも半周して開放端が筐体部へそれぞれ着脱可能に接続され、これにより、耳拘束部材が交換可能であることを特徴とする耳装着構造。
【請求項７】
請求項６の耳装着構造において、
耳拘束部材の開放端の間隔は筐体部側の突き当り面間隔よりも狭く形成され、耳拘束部材を外側へ弾性変形させた状態で筐体部へ軸止されることを特徴とする耳装着構造。
【請求項８】
請求項１〜６の耳装着構造において、耳拘束部材の両端部分が共通の軸線上で軸止されていることを特徴とする耳装着構造。
【請求項９】
請求項１〜６の耳装着構造において、筐体部から耳拘束部材側へ突出させた２つの支柱を設け、２つの支柱の突出した先端側で耳拘束部材の片端づつを軸止したことを特徴とする耳装着構造。
【請求項１０】
請求項１〜６の耳装着構造において、耳拘束部材の開閉ストロークの中間点を境にしてその始点と終点に向かって耳拘束部材を両方向にバネ付勢するタンブラー機構を設けたことを特長とする耳装着構造。
【請求項１１】
請求項１〜６の耳装着構造において、耳拘束部材および筐体部を左右対称な外観に形成し、これにより、左右の外耳のいずれにも装着可能にしたことを特徴とする耳装着構造。
【請求項１２】
請求項１〜６の耳装着構造において、先端側に開口を有して耳面の窪みに入り込む開口突起を筐体部に設け、開口突起下の筐体部内に音発生手段を配置したことを特徴とする耳装着構造。
【請求項１３】
外耳の裏面に押し付けられる耳拘束部材を有して、音発生手段を設けた筐体部が外耳の表面に押し付けられる耳装着構造において、
耳拘束部材は、外耳の根元を少なくとも半周して、その両端部分が外耳の裏面に押し付けられる部分から立ち上がって筐体部へ回動可能に挿入され、これにより、筐体部と耳拘束部材の平行な対向状態を確保して立ち上がり部分の間隔に外耳を誘導可能であることを特徴とする耳装着構造。
【請求項１４】
音発生手段とリズムパラメータの設定スイッチを備えて電池とリズム発生回路を格納し、装着状態で耳の表面上に位置決めされる筐体部と、筐体部に接続されて耳の裏面側に位置させる耳拘束部材とを有するリズム発生装置において、
耳拘束部材は、外耳の３方向を拘束して両端を筐体部に接続され、筐体部と共働して外耳を包囲することを特徴とするリズム発生装置。
【発明の詳細な説明】
【技術分野】
【０００１】  本発明は、ヘッドホン、メトロノーム、タイマー、補聴器、イヤホン、ラジオ、携帯電話、トランシーバー、ヘッドセットマイクロホン、無線レシーバーなど、耳に装着して音を発生する機器に採用可能な耳装着構造に関する。
【背景技術】
【背景技術】
【０００２】  古い形式のヘッドホンやヘッドセットマイクロホンは、１つのバネ付きアームバンドで２つのスピーカー筐体を内側へ付勢して頭骸骨を左右から挟み込む耳装着構造を採用していた。
これに対して、近年登場した携帯用ヘッドホンは、特許文献６に示されるように、眼鏡のつるのような耳掛け機構を設けて片耳に引っ掛ける耳装着構造を採用している。
特許文献５、６には、「外耳の裏面に押し付けられる耳拘束部材を有して、音発生手段を設けた筐体部が外耳の表面に押し付けられる耳装着構造」が示される。そして、特許文献６における耳拘束部材は、筐体部の端部に一端を軸止されて挟み込み方向へばね付勢されているが、特許文献５における耳拘束部材は、外耳の根元を半周して中央部分が軸止されている。【０００３】  また、片耳へ装着する耳装着構造としては、耳掛けリングが古くから知られている。特許文献１、２、８には、「音発生手段を設けた筐体部に接続された状態で外耳の一周を包囲する耳拘束部材を有し、耳拘束部材によって筐体部が耳面上に位置決め保持される耳装着構造」が示されるが、いずれも耳拘束部材は、筐体部に固定されている。【０００４】  また、このような耳装着構造の用途は、ヘッドホンやイヤホンに限定されない。特許文献７には耳掛け式のリズム装置が示される。特許文献３にはクリップ式のタイマー、特許文献４にはクリップ式のリズム装置が示され、外耳を挟みこむ部材の軸止部分に単純なタンブラー機構を採用して、この部材に起立状態と挟み込み状態の両方向へ向かってばね力を作用させている。
【特許文献１】特開昭５６−６９９８８号公報
【特許文献２】特公昭６３−１７３６８号公報
【特許文献３】特開平９−１０５７８８号公報
【特許文献４】特開２０００−５１４２２号公報
【特許文献５】特開２０００−２２４６８４号公報
【特許文献６】特開２００１−１６０９９５号公報
【特許文献７】特開２００１−３３３９９７号公報
【特許文献８】特開２００２−１１２３７７号公報
【発明の開示】
【発明が解決しようとする課題】
【０００５】  両耳を外側から挟み込む耳装着構造は、外耳を圧迫変形して長時間使用すると痛みを感じる場合がある。全体が重く大型化しがちで圧迫感が大きく熱のこもりが不愉快だし、圧迫や熱のこもりを緩和するには高価な芸術的ソフトパッドが必要である。【０００６】  特許文献６、７に示される耳掛け型の耳装着構造は、装着に慣れが必要で、慣れても快適な装着状態にたどり着くまでに試行錯誤が必要である。耳面に筐体部を押し付けるばね力で耳拘束部材（つる）が耳に食い込んで苦痛を感じる場合もある。だからと言ってつるの押し付け力を小さく設定すると、コードを引っ掛けたり他人に接触した際に容易に装置全体が耳から脱落するし、軽い走行程度の上下動や衝撃でも装着位置がずれて不愉快である。
また、眼鏡と同様に、つるの本体接続部分を正面側に位置させ、上下を逆にしては装着できないから、補聴器や携帯電話や無線レシーバーやメトロノームのような片耳単独の機器では、左耳用を右耳に装着できない。【０００７】  特許文献５に示されるように、クリップ構造を含む耳装着構造を採用して耳面上に比較的大型の筐体部を保持させる場合、クリップ構造が大型化し、挟み込み圧力が大きくなって長時間装着で痛みを感じる場合がある。
また、特許文献１、２、８に示される従来の耳掛けリングは、外耳の根元を一周して束ねる方式であるから、上下動や振動衝撃によって耳から装置が脱落しない。また、外耳の挟み込み力なしで筐体部を耳面上に位置決めするから、筐体部と耳掛けリングの間にバネ力をかける必要がない。しかし、装着力を耳掛けリングに依存するから、装着の際にかなり窮屈に外耳を曲げたり束ねたりする必要がある。つまり、装着の際に片手で外耳を折り畳んで反対の手に持ったリングに通す操作が必要になり、片手で装着できない、装着が面倒、各自の耳の大きさに適合させてリングサイズを調節（特許文献８）する必要があるなどの問題がある。【０００８】  本発明は、耳掛け型でもリング型でもない新規な片耳装着構造、耳掛け型よりも外耳への負担が小さく、リング型よりも装着が簡単、片手で緩やかに装着して筐体部を耳面上へ確実に保持できる耳装着構造を提供することを目的としている。
【課題を解決するための手段】
【０００９】  本発明の耳装着構造は、音発生手段を備えて装着状態で耳の表面上に位置決めされる筐体部と、筐体部に接続されて耳の裏面側に位置する耳拘束部材とを有する耳装着構造において、耳拘束部材は、外耳の３方向を拘束して残る１方向へ外耳の相対移動の余地を持たせた状態で両端を筐体部に接続されているものである。【００１０】  本発明のリズム発生装置は、音発生手段とリズムパラメータの設定スイッチを備えて電池とリズム発生回路を格納し、装着状態で耳の表面上に位置決めされる筐体部と、筐体部に接続されて耳の裏面側に位置させる耳拘束部材とを有するリズム発生装置において、
耳拘束部材は、外耳の３方向を拘束して両端を筐体部に接続され、筐体部と共働して外耳を包囲するものである。
【発明の効果】
【００１１】  本発明の耳装着構造では、耳拘束部材と筐体部が共働して外耳を緩く保持した状態で筐体部が耳の表面上に位置決めされる。耳拘束部材は外耳の３方向を拘束して残り１方向に外耳を相対移動できる。例えば、耳装着構造を後方からスライドさせて外耳の裏面に耳拘束部材を誘導すると、耳拘束部材は、外耳の根元を上下および後方の三方向から緩く拘束して筐体部の上下動に抵抗する。このとき、対向配置された耳拘束部材と筐体部は、それぞれ長い接触長さと広い接触面積を利用して凹凸著しい耳の表面および裏面に対して摩擦力や外観の噛み合い力を発生させ、残る後方への位置ずれを阻止する。
ばね手段を設けて、耳拘束部材と筐体部の間隔に外耳を挟みこんで筐体部を耳面に押し付ける場合、接触による摩擦はさらに強化されて、耳拘束部材と外耳の位置関係、すなわち耳面上の筐体部位置が一定に保たれる。【００１２】  本発明の耳装着構造によれば、外耳を覆い隠すソフトパッドが不要だから、耳を外側から圧迫する従来のヘッドホンに比較して安価に製造でき、小型軽量で携帯や装着に便利である。そして、耳拘束部材は両端を支持されるから、片持ち式の耳掛け式に比較して応力が軽減され、接続部分の負担も少ない。従って、耳掛け式よりも材料や構造の選択の自由が広がって、安価で小型軽量な耳装着構造を提供できる。【００１３】  また、耳拘束部材が耳の根元の上下を拘束して上下両方向の力に抵抗するから、上下両方の力を外耳の挟み込み力のみで受けるクリップ型や上方向の力を挟み込み力のみで受ける耳掛け型に比較して外耳の挟み込み力を格段に軽減しつつ、さらに強固で安定した装着を実現できる。言い換えれば、クリップ型や耳掛け型に比較して、装着強度を耳面との摩擦力や外耳の挟み込み力に頼る割合が小さく、外耳の裏側を強く押す必要も、筐体部を外耳面に強く押し付ける必要もない。バネ力を軽減すれば装着が容易となり、装着後に筐体部をずらして装着位置や装着感を調整することもできるし、耳面への圧力や耳への負担が減って長時間使用しても痛みを感じない。【００１４】  また、耳拘束部材の長い接触長さと筐体部の広い接触面積による摩擦力や外観の噛み合い力が耳拘束部材の負担を減らして緩い拘束を可能にするから、外耳を強く圧迫しなくても筐体部を耳面上に安定かつ強固に保持でき、従来の耳掛けリングに比較して耳の根元を締め付ける度合いを格段に減らすことができる。緩く設計することで、１つのサイズの耳拘束部材で種々の大きさの耳へ無理なく装着できるようになり、装着時に空いた片手で耳を窮屈に束ねる必要もなくなるなど装着が格段に容易となる。緩さの範囲で装着後に筐体部をずらして装着位置や装着感を調整することもでき、長時間使用しても痛みを感じないで済む。
【発明を実施するための最良の形態】
【００１５】  筐体部に着脱自在の耳拘束部材を取り付ける。筐体部から支柱を２つ立ち上げて支柱の先端側に耳拘束部材の開放端をそれぞれ軸止することにより、支柱間隔に耳の誘導経路を確保する。支柱の先端形状と耳拘束部材の開放端の片持ち板ばねでタンブラー機構を構成する。これらにより、少ない部品点数による単純な構造が実現され、材料の節約と製造コストの低減が達成された。
【実施例１】
【００１６】  図１は実施例１のリズム発生装置（電子メトロノーム）の正面図、図２は耳面側の裏面図、図３は側面図、図４は部分的な拡大図である。
図１に示すように、実施例１のリズ厶発生装置１０は、左右対称形状の片耳装着型であって、左耳１４と右耳のどちらへも装着可能である。
リズム発生装置１０は、筐体１１に拡張板１２を固定して筐体部を構成し、拡張板１２の両端に耳拘束部材１３が接続されている。
リズム発生装置１０は、耳拘束部材１３を耳１４の根元に周回させた状態で筐体１１が耳面上に位置決めされ、筐体１１と耳拘束部材１３の間に耳の外耳の広がりが緩く保持される。【００１７】  特開２０００−５１４２２号公報に示されるように、筐体１１内には、１枚のプリント基板と液晶素子と電子ブザーと電池が収納されており、プリント基板上の１チップマイコン素子に対してリズム種類とリズム速度を任意に設定して各種のリズム音を出力させることができる。
そして、短い押し操作に対応してリズム出力の開始／停止を指令入力するスタート／ストップスイッチ１５は、モードスイッチを兼ねており、１秒を越える押し操作に対応してリズム速度の設定モード、リズム種類の設定モードへと順次移行する。リズム速度の設定モード（リズム種類の設定モード）では、３桁の液晶表示素子にリズム速度（リズム種類）を表示させた状態で、ＵＰスイッチ１８とＤＯＷＮスイッチ１７を押してリズム速度（リズム種類）の選択肢を順送りし、１つを選択して設定することができる。【００１８】  図２に示されるように、筐体１１の裏面には音を通す布が張られて耳面との摩擦を高めており、その奥側に裏面側へ向かって電子ブザーが配置されている。
耳拘束部材１３は、半円弧の外観に形成され、開放側を前方に向けた状態で耳の後方から平行移動させて外耳の根元に送り込み、また、その状態から回転させて、耳面上の好ましい位置へ筐体１１を位置決めすることができる。
耳拘束部材１３の開放端には軸止部２１と片持ち板ばねのばね部２２が一体に樹脂成型されている。【００１９】  図３に示すように、拡張板１２の両方の端部にそれぞれ支柱２４が固定され、支柱２４の上部にピン２３を挿入して耳拘束部材１３の両端の軸止部２１が同一軸線上で軸止されている。これにより、耳拘束部材１３を立ち上げて筐体１１との角度を９０度にした状態で、筐体１１を耳面に接触させることなく耳拘束部材１３を耳の根元へ誘導して差し込むことができる。
ばね部２２は、先端が支柱２４上部のカム形状を倣って全体が弾性変形することにより、耳拘束部材１３を筐体１１側へ押し付ける弱いばね力を発生させる。【００２０】  耳拘束部材１３は、筐体１１の耳接触高さよりも高い位置で筐体１１との間に平行な開き状態を達成でき、筐体１１は、この開き距離と耳拘束部材１３の間隔の空間へ干渉しない外観に形成されている。この開き距離と耳拘束部材１３の間隔の空間は、耳１４の誘導経路として利用できる。
耳拘束部材１３は、両端部分が筐体１１へ着脱可能に接続されて、耳拘束部材１３全体を一体に交換可能である。従って、耳１４の大きさや形状に合った耳拘束部材１３を選んで装着感を改善できる。【００２１】  図４に示すように、ばね部２２と支柱２４上部のカム形状２５は、協働してタンブラー機構を構成しており、カム形状２５を倣うばね部２２は、筐体１１側へ倒れた状態Ｐ１と９０度に起立させた状態Ｐ４では、その弾性変形が解除されて中立状態となる。一方、中間の状態Ｐ２、Ｐ３では、ばね部２２が大きく弾性変形して、状態Ｐ２では状態Ｐ１へ向かって、また、状態Ｐ３では状態Ｐ４へ向かって耳拘束部材１３を回転駆動する。従って、耳へ装着する際には筐体１１が起立した状態で安定し、耳へ装着した状態では耳面に対する筐体１１の緩い圧迫状態で安定する。
また、ばね部２２はカム形状の起立部分に突き当たって、９０度以上筐体１１が倒れないようにしている。【００２２】  以上のように構成した実施例１のリズ厶発生装置では、筐体１１を耳面に緩く押し付けた状態で耳拘束部材１３が耳を緩く拘束するから、図１に示すように装着すれば上下方向の振動や接触に対して強い抵抗力を発揮して脱落することがない。
そして、強い装着にもかかわらず筐体１１と耳面の圧力は小さく、外耳の裏面に対する耳拘束部材１３の接触圧力も小さいから耳への負担が小さく、血流を阻害したり、うっ血やむくみを引き起こしたりすることがなく、長時間使用しても痛みを感じる割合が少ない。
また、外耳を覆い隠すソフトパッドが不要だから、安価に製造でき、小型軽量で携帯や装着に便利、快適である。【００２３】  また、耳拘束部材１３は、耳の根元を拘束して筐体１１を耳面上に保持するから、外耳の裏側を強く押す必要がなく、従って、耳掛け型の構造に比較して、簡単に耳拘束部材１３を開いて容易に装着でき、装着した状態で筐体１１を上下、前後にずらして快適でよく聞こえる位置へ筐体１１を位置決めすることも容易である。耳の根元の拘束に頼る分、外耳の挟み込み力が小さくてよく、従って、耳面への圧力や耳への負担を軽減でき、外耳の裏面側でつるが耳に食い込んで苦痛を感じることもない。小さな押し付け力にもかかわらず強固な装着が達成され、他人に接触したり激しいダンスや水泳を行ったりしても容易には脱落せず、装着位置がずれることも少ない。【００２４】  また、耳拘束部材１３を半円形で左右対称の形状としたから、耳へ装着した状態で回転して好ましい筐体１１の位置を誘導できる。そして、つるの上下を反転できない耳掛け型の装着構造とは異なり、図１の装着状態と上下反転して、そのまま右耳へも装着可能であるから、補聴器や携帯電話や無線レシーバーやメトロノームのような片耳単独の機器に応用した際には、左耳用と右耳用を共通の１種類で提供できる。これらの機器を購入した使用者もその日の気分や用途応用に応じて装着する耳を変更できる。【００２５】  また、電子回路、音発生素子、電池を納めた筐体１１に拡張板１２を設けて耳拘束部材１３を接続するシンプルで小型軽量の構造を採用したから、筐体１１を共通にして、各種の大きさの拡張板１２（または耳拘束部材１３）を準備して女性や子供への対応を採ることができる。
また、タンブラー機構によって耳拘束部材１３が起立するから、単純に挟み込む耳掛け型のように装着時にばね力に逆らって耳拘束部材１３を持ち上げる必要がない。【００２６】  なお、実施例１では、片耳装着型を説明したが、同形状の２つをケーブルで結んで両耳装型としてもよく、電子ブザーをスピーカーに変更してアナログ音声を出力させてもよい。この耳装着構造は、リズム発生装置に用途を限定しないで、共通の筐体および耳装着構造を採用して、携帯型ヘッドホン、タイマー、補聴器、イヤホン、ラジオ、携帯電話、ヘッドセットマイクロホン、無線レシーバー、トランシーバーなどを構成してもよい。
また、耳拘束部材１３の輪を上方から耳へ挿入してウサギやロバに装着してもよく、人間の耳でも上方から被せて液晶表示や印刷を正立状態にして使用することもできる。
【実施例２】
【００２７】  図５は実施例２の耳装着構造を耳面側から見た平面図、図６は側面図である。実施例２では、耳拘束部材３３が筐体３１とほぼ平行な位置関係を維持したままスライドし、シリンダー部材３４に内蔵されたばね力で、耳拘束部材３３と筐体３１の間に外耳を挟み込む。【００２８】  図５に示すように、耳装着構造３０は、筐体３１に固定した拡張板３２の両端に、それぞれシリンダー部材３４をねじ固定している。ここで、図６の上側のシリンダー部材３４は、耳拘束部材の一部を図示略して示され、下側のシリンダー部３４は耳拘束部材３３の下に隠れている。耳拘束部材３３は、耳へ装着すると、第１実施例と同様に耳の付け根を半周して外耳の３方向を拘束して残り１方向へ相対移動の余地を残している。
図６に示すように、耳拘束部材３３の２つの開放端には、それぞれ垂直に起立させたピン３６が固定されていて、ピン３６の先端にピストン３７が固定されている。シリンダー３５の内部には図示しないコイルばねが収納されていて、ピストン３７を下方向へ付勢している。ピストン３７は、上の破線位置までコイルばねの反力に逆らって上昇可能である。【００２９】  従って、筐体３１と平行な位置関係を維持したまま耳拘束部材３３を破線位置から実線位置までスライドさせることにより、耳拘束部材３３と筐体３１の間隔を押し広げることが可能である。そして、この間隔を押し広げた状態で耳の後側から前方へ平行移動させて耳の根元へ耳拘束部材３３を滑り込ませ、回転して筐体３１の位置を調整し、その後、押し広げ状態を解除することで、図１に示す第１実施例と同様に、筐体３１と耳拘束部材３３の間に外耳の広がりを挟み込むことができる。【００３０】  また、図５、図６に示すように、筐体３１は上部３１Ａと下部３１Ｂを突き合せて構成され両者の間に拡張板３２とプリント基板３８を挟み込んでいる。上部３１Ａの中央には先端側に開口を有して耳面の窪みに入り込む断頭円錐形の開口突起３１Ｄを形成し、上部３１Ａの内側にはスピーカー３９を囲むシリンダー壁３１Ｃが形成されている。筐体３１の開口突起３１Ｄの下方には、プリント基板３８に固定されたスピーカー３９が配置されている。【００３１】  実施例２の耳装着構造によれば、筐体３１と耳拘束部材３３の平行な位置関係を維持して外耳を挟み込むから、第１実施例の耳装着構造に比較して若干耳への負担が増大するものの、さらに強固で身体接触や衝撃に強い装着が可能である。
また、筐体３１に開口突起３１Ｄを形成して耳面の窪み、言い換えれば、特許文献３および特許文献４に示された音発生手段の格納部が落ち込む窪みに噛み合わせるから、平坦な筐体部に比較して耳面上で耳装着構造３０がずれたり外れたりしにくい。
そして、開口突起３１Ｄの下にスピーカー３９を配置して、スピーカー面と出口の間に距離を確保したから、低域の再生特性が改善された。さらに、シリンダー壁３１Ｃでスピーカー３９を囲んで開口突起３１Ｄに続く反響空間を確保したから、ひずみ感の少ないリアルな音再生が可能になった。
【実施例３】
【００３２】  図７は実施例３のヘッドホンの説明図である。ここでは、スピーカーを内蔵した２つの筐体４１Ｒ、４１Ｌをケーブル４７で接続した携帯用ヘッドホンが示される。
図７に示すように、ヘッドホンの筐体４１Ｒの内部には図示しないスピーカーが配置され、筐体４１Ｒと耳拘束部材４３の間に右耳１４の広がりが挟み込まれる。耳拘束部材４３は、右耳の根元形状に合わせた左右非対称な外観形状であって、軽量な金属パイプを環状に接続して、中間部分で全体をＬ字型に曲げて成型してある。【００３３】  筐体４１Ｒは、端部４２の近くまで電子回路基板が格納された中空の形状であって、端部４２の先端には、軸方向にすり割りを設けた円孔（Ｃ溝）が形成されている。この円孔（Ｃ溝）は、パイプ断面４６を押し込んで耳拘束部材４３の全体を着脱可能、組立て状態では、パイプ断面４６を回転可能に強い圧力状態で保持している。従って、円孔（Ｃ溝）とパイプ断面４６の摩擦力によって、耳拘束部材４３と筐体４１Ｒの間に自在な開き角度を設定して保持できる。端部４２の中間高さには切り込み４４を設け、金属パイプの接続を兼ねたスライドストッパー４５が上下の相対移動を規制している。【００３４】  筐体４１Ｒは、筐体４１Ｌと共通の外観および内部構造であるが、筐体４１Ｒは、左右非対象な右耳用の耳拘束部材４３を取り付けて右耳装着ユニット４０Ｒに組立ててある。一方、筐体４１Ｌは、耳拘束部材４３と鏡面対象な形状の左耳用の耳拘束部材を取り付けて左耳装着ユニット４０Ｌに組立ててある。筐体４１Ｒと筐体４１Ｌはケーブル４７で接続され、筐体４１Ｒから取り出されたケーブル４８が図示しないオーディオジャックに接続されている。【００３５】  以上のように構成した実施例３のヘッドホンによれば、左右の耳装着ユニット４０Ｒ、４０Ｌを左右の耳に合わせた専用としたから、左右を間違って装着する心配がない。また、筐体４１Ｒを端部４２の近くまで中空にしたから、外観が小型でも回路基板やスピーカーの格納スペースが内部に十分確保されて、基板に接点を設ける筐体面上のスイッチやボリウムの配置の自由度も高い。また、筐体４１Ｒと耳拘束部材４３Ｒが着脱自在なので、各種サイズの耳拘束部材４３Ｒを準備して、顧客に耳の大きさに適合して装着感の良い耳拘束部材４３Ｒを選択させることができる。
耳拘束部材４３Ｒは、耳１４の根元を半周して両端部分が立ち上がり、両端を筐体４１へ回動可能に挿入しているから、筐体４１と耳拘束部材の平行な対向状態を確保して立ち上がり部分の間隔に外耳を誘導可能である。従って、耳１４を曲げたり束ねたりすることなく後方からスライドさせて装着し、また、同じ経路を逆に辿って取り外すことができる。
【実施例４】
【００３６】  図８は実施例４のトランシーバーの説明図である。ここでは、アンテナ５６とマイク５５を設けたトランシーバー５０が示される。
図８に示すように、トランシーバー５０は、柔軟で若干の弾性を有する耳拘束部材５３を用いて耳に装着される。耳拘束部材５３は、軟鋼の針金を塩化ビニルチューブで被服した線材を概略ハート型に曲げて形成され、両端部５４を端部５２の取り付け孔に挿入され、着脱ボタン５７を操作してこの取り付け孔へ着脱自在である。着脱ボタン５７を押すと取り付け孔から端部５４を抜き取り可能になり、着脱ボタン５７を開放すると端部５４が取り付け孔にロックされる。【００３７】  耳拘束部材５３は、使用者が自分の耳の根元の形状や大きさに合わせて曲げたり、端部を切断して全体を短くして、よりよい装着感が得られるまで自由にその大きさや形状を調整した後に端部５２の取り付け孔へ挿入してロックされる。耳拘束部材５３を軽く持ち上げて筐体５１との間隔を押し広げた状態で外耳を耳拘束部材５３に差し込んで筐体部５１から手を離すと、耳拘束部材５３がゆるやかなばね力で外耳を拘束して外耳を裏側からサポートし、筐体５１が耳面に軽く押し付けられる。【００３８】  筐体５１の内部には、無線送受信の電子回路を設けたプリント基板、耳面に向かって配置されたスピーカー、電池などが配置される。
トランシーバー５０は、図示しない電話機の子機として使用され、電話機（親機）から送信されるＦＭ電波をアンテナ５６で受信して音声信号を再生し、耳元でスピーカーから出力する。また、マイク５５で拾い上げた通話音声をＦＭ電波に変換してアンテナ５６から電話機（親機）へ送信する。【００３９】  以上のように構成したトランシーバー５０によれば、弾性と柔軟さを兼ね備えた耳拘束部材５３を採用して使用者が自分の耳に合わせて曲げ形状やばね力を調整できるようにしたから、既製品に無い快適な装着感と愛着が得られる。また、細い線材で耳拘束部材５３を形成したから、耳装着構造が小型軽量で目立たない。【００４０】  なお、図８に示す耳拘束部材５３は形状記憶合金の細い針金で形成してもよく、端部５４は筐体５１の端部５２に固定されていてもよい。柔軟な耳拘束部材５３を押し曲げて筐体５１との間隔を押し広げた状態で外耳を耳拘束部材５３に差し込んで筐体部５１から手を離すと、体温で暖められた形状記憶合金の耳拘束部材５０がゆるやかなばね力で外耳を拘束する初期の形状に復帰してやさしく外耳を裏側からサポートして筐体５１が耳面に押し付けられる。
【実施例５】
【００４１】  図９は実施例５のリズム発生装置（電子メトロノー厶）を背面側から見た斜視図、図１０は腹面側から見た斜視図、図１１は耳拘束部材の着脱構造の説明図である。
図９、図１０に示すように、実施例５のリズム発生装置１０は、左右対称形状の片耳装着型であって、樹脂成型された筐体６１に半円型の耳拘束部材６３（イヤーハンガー）を着脱交換自在に取り付けて構成され、実施例１と同様に、耳拘束部材６３で片耳の根元を半周包囲させた状態で筐体６１が耳面上に位置決めされる。【００４２】  ボリウム７０の高さで上下に分割される筐体１１の内側には、液晶素子６６を乗せたリズム発生回路のプリント基板と、リズム音を出力するスピーカー６９と、スピーカー６９の音量調節を行うボリウム７０と、リズム発生回路に電力供給する図示しない電池が収納されている。筐体６１の腹面の窪みには最終的にスポンジシートが貼られるが、中央の開口下に数ｍｍの間隔を確保してスピーカー６９が配置されている。【００４３】  スタート／ストップスイッチ６５、ＵＰスイッチ６８、およびＤＯＷＮスイッチ６７はリズム発生回路に操作信号を入力する。スタート／ストップスイッチ６５は、短い押し操作に応答してリズム出力の開始／停止を、１秒を越える押し操作に応答してリズムパラメータ設定モードへの移行を指令入力する。
リズム速度の設定モード（リズム種類の設定モード）では、３桁の液晶素子６５にリズム速度（リズム種類）を表示させた状態で、ＵＰスイッチ１８とＤＯＷＮスイッチ１７を押してリズム速度（リズム種類）の選択肢を順送りし、最後に表示させた選択肢が設定される。【００４４】  図１１に示すように、筐体１１の一部として成型された支柱６４の先端側には耳拘束部材６３のピン７３を挿入する貫通孔７６が形成されている。筐体１１から突出させた２つの支柱２４にピン２３を挿入して耳拘束部材１３が筐体１１に軸止される。
耳拘束部材６３は、軸止部７１、ばね部７２およびピン７３を含めて全体が一体に樹脂成型されている。耳拘束部材１３の軸止部７１の対向間隔は、２つの支柱７４の外側面間隔よりも短く成型されており、耳拘束部材１３を外側へ弾性変形して軸止部７１の対向間隔を押し広げた状態でピン７３を左右の貫通孔７６へ挿入することにより簡単に組立てられ、また、全体を外側へ押し広げてピン７３を貫通孔７６から抜き取ることにより簡単に分解される。【００４５】  その上部で耳拘束部材６３の軸止部７１が同一軸線上で軸止される一対の支柱６４の間には、装着時に耳を誘導する空間が確保されている。つまり、耳拘束部材６３を起立させた状態なら筐体１１を耳面に接触させることなく耳拘束部材１３を耳の根元へ誘導して差し込むことができるし、耳拘束部材６３を寝かせて外耳を挟み込ませた状態でも、リズム発生装置を後方へシフトさせて耳から抜き取ることができる。ばね部７２は、先端が支柱７４頂部のカム形状を倣って片持ち部分が弾性変形することにより、耳拘束部材６３を筐体６１側へ押し付けるばね力を発生させる。ばね部７２と支柱７４上部のカム形状は、実施例１と同様に協働してタンブラー機構を構成する。ばね部７２は、倒れた状態と起立状態で弾性変形量が最低となり、約５０度の起立状態で弾性変形量が最大となる。
従って、耳拘束部材７３は、５０度の起立状態で不安定な中立状態となり、ここから少しでも起立すると起立方向へ、少しでも倒れると倒れた状態へ回転駆動される。これにより、耳へ装着する際には起立状態で安定し、筐体部６１を倒して耳へ装着した状態では耳面に対する緩い圧迫状態となる。【００４６】  以上のように構成した実施例５のリズム発生装置では、耳拘束部材６３の開放端の間隔は筐体６１側の突き当り面間隔よりも狭く形成され、耳拘束部材６３を外側へ弾性変形させた状態で筐体６１へ軸止されるから、耳拘束部材６３を押し広げて簡単に筐体６１へ着脱でき、耳拘束部材６３の交換を誰でも簡単に失敗なく実施できる。【００４７】  なお、実施例５では内向きのピン７３を設けて耳拘束部材６３を外側へ押し広げて筐体６１に取り付ける構成としたが、耳拘束部材６３に外向きのピンを設けて耳拘束部材を内側へ押し縮めて取り付ける構成としてもよい。また、ピン７３を貫通孔７６に挿入する以外の形式で耳拘束部材を筐体６１に取り付けてもよい。軸止部７１とばね部７２とピン７３を一体に樹脂成型する代わりに、複数の部品を組み合わせた耳拘束部材を採用してもよい。さらに、図５、図６に示したような開口突起３１Ｄを筐体６１に形成して、装着強度と再生音質を改善してもよい。
【産業上の利用可能性】
【００４８】  本発明は、実施例に掲げたリズム発生装置の他に、ヘッドホン、メトロノーム、タイマー、補聴器、イヤホン、ラジオ、携帯電話、トランシーバー、ヘッドセットマイクロホン、無線レシーバーなど、耳に装着して音を発生する機器に普く採用可能である。
【図面の簡単な説明】
【００４９】
【図１】  実施例１のリズム発生装置の正面図である。（実施例１）
【図２】  リズム発生装置の裏面図である。（実施例１）
【図３】  リズム発生装置の側面図である。（実施例１）
【図４】  タンブラー機構の部分的な拡大図である。（実施例１）
【図５】  実施例２の耳装着構造の裏面図である。（実施例２）
【図６】  耳装着構造の側面図である。（実施例２）
【図７】  実施例３のヘッドホンの説明図である。（実施例３）
【図８】  実施例４のトランシーバーの説明図である。（実施例４）
【図９】  実施例５のリズム発生装置の斜視図（背面）である。（実施例５）
【図１０】  実施例５のリズム発生装置の斜視図（腹面）である。（実施例５）
【図１１】  耳拘束部材の着脱構造の説明図である。（実施例５）
【符号の説明】
【００５０】１０、６０  リズム発生装置
１１、３１、４１、５１、６１  筐体
１２、３２  拡張板
１３、３３、４３、５３、６３  耳拘束部材
１４  耳
１５、６５  開始／停止スイッチ
１６、６６  液晶表示素子
１７、６７  ＤＯＷＮスイッチ
１８、６８  ＵＰスイッチ
２１、７１  軸止部
２２、７２  ばね部
２３、７３  ピン
２４、７４  支柱
２５、７５  カム構造
３０  耳装着構造
３１Ａ  上部
３１Ｂ  下部
３３Ｃ  シリンダー壁
３３Ｄ  開口突起
３４  シリンダー部材
３５  シリンダー
３６  軸
３７  ピストン
３８  プリント基板
３９  スピーカー
４０  ヘッドホン４２、５２  端部
４４  切り込み
４５  スライドストッパー
４６  Ｃ溝
４７、４８  ケーブル
５０  トランシーバー５４  根元
５５  マイク
５６  アンテナ
５７  着脱ボタン
６９  スピーカー
７０  ボリウム
７６  貫通孔
【図１】
2004361910.tif 000003
【図２】
2004361910.tif 000004
【図３】
2004361910.tif 000005
【図４】
2004361910.tif 000006
【図５】
2004361910.tif 000007
【図６】
2004361910.tif 000008
【図７】
2004361910.tif 000009
【図８】
2004361910.tif 000010
【図９】
2004361910.tif 000011
【図１０】
2004361910.tif 000012
【図１１】
2004361910.tif 000013
【手続補正書】
【提出日】平成15年11月7日(2003.11.7)
【手続補正１】
【補正対象書類名】特許請求の範囲
【補正対象項目名】全文
【補正方法】変更
【補正の内容】
【特許請求の範囲】
【請求項１】
音発生手段を備えて装着状態で耳の表面上に位置決めされる筐体部と、筐体部に接続さ
れて耳の裏面側に位置する耳拘束部材とを有する耳装着構造において、
耳拘束部材は、外耳の３方向を拘束して残る１方向へ相対移動の余地を持たせた状態で
両端を筐体部に接続されるとともに、耳拘束部材側へ突出させた２つの支柱を筐体部に設
けて、２つの支柱の突出した先端側で耳拘束部材の片端づつを軸止したことを特徴とする
耳装着構造。
【請求項２】
請求項１の耳装着構造において、
筐体部へ向かって耳拘束部材を回転させて押し付けるバネ手段を設け、耳拘束部材と筐
体部の間隔に外耳を挟みこんで筐体部を耳面に押し付けることを特徴とする耳装着構造。
【請求項３】
請求項１の耳装着構造において、
耳拘束部材は、外耳の根元を少なくとも半周して開放端を筐体部よりも高い位置で支柱
に軸止されていることを特徴とする耳装着構造。
【請求項４】
請求項１の耳装着構造において、
耳拘束部材は、外耳の根元を少なくとも半周して開放端が支柱へそれぞれ着脱可能に軸
止され、これにより、耳拘束部材が交換可能であることを特徴とする耳装着構造。
【請求項５】
請求項４の耳装着構造において、
耳拘束部材の開放端の内側間隔は支柱外側の突き当り面間隔よりも狭く形成され、耳拘
束部材を外側へ押し広げて弾性変形させた状態で支柱へ取り付けることを特徴とする耳装
着構造。
【請求項６】
請求項１の耳装着構造において、
耳拘束部材の両端部分が共通の軸線上で軸止されていることを特徴とする耳装着構造。
【請求項７】
請求項１の耳装着構造において、
耳拘束部材の回転角度の中間点を境にして耳拘束部材を開閉両方向にバネ付勢するタン
ブラー機構を設けたことを特長とする耳装着構造。
【請求項８】
請求項１の耳装着構造において、
耳拘束部材および筐体部を上下対称な外観に形成されて、左右両方の耳へ装着可能であ
ることを特徴とする耳装着構造。
【請求項９】
請求項１の耳装着構造において、
先端側に開口を有して耳面の窪みに入り込む開口突起を筐体部に設けて、開口突起下の
筐体部内に音発生手段を配置したことを特徴とする耳装着構造。
【請求項１０】
音発生手段とリズムパラメータの設定スイッチを備えて電池とリズム発生回路を格納し
、装着状態で耳の表面上に位置決めされる筐体部と、筐体部に接続されて耳の裏面側に位
置させる耳拘束部材とを有するリズム発生装置において、
耳拘束部材は、外耳の３方向を拘束して残る１方向へ相対移動の余地を持たせた状態で
両端を筐体部に接続されるとともに、耳拘束部材側へ突出させた２つの支柱を筐体部に設
けて、２つの支柱の突出した先端側で耳拘束部材の片端づつを軸止したことを特徴とする
リズム発生装置。
【請求項１１】
音発生手段を備えて装着状態で耳の表面上に位置決めされる筐体部と、筐体部に接続さ
れて耳の裏面側に位置する耳拘束部材とを有する耳装着構造において、
耳拘束部材は、その両端で筐体部にスライド保持されて筐体部とほぼ平行な位置関係を
保持したまま耳拘束部材を筐体部に対してスライド可能で、
バネ手段は、このスライド間隔を狭める方向に耳拘束部材を付勢することを特徴とする
耳装着構造。
【請求項１２】
音発生手段を備えて耳面上に位置決めされる筐体部と、
耳の根元を周回し、筐体部へ向かって閉じる方向へばね付勢された耳拘束部材とを有し
、
筐体部と耳拘束部材の間に外耳の厚みを挟み込んで、筐体部と耳面の対向面に摩擦力を
発生させる耳装着構造において、
耳拘束部材は、その両端が筐体部にスライド保持されて筐体部とほぼ平行な位置関係の
まま開閉可能、または、その両端が筐体部に軸止されて回転方向に開閉可能で、
耳拘束部材は、耳の根元の背後側を周回してその両端が対向間隔を狭めることなく耳の
前方側へ向かう方向へ突出した後に筐体部に取り付けられ、
筐体部の前方側外観は、耳拘束部材の両端の対向間隔に干渉しないように形成され、
これにより、装着状態で耳の前後方向へ筐体部を移動してそのまま保持できることを特
徴とする耳装着構造。
【請求項１３】
請求項１、１１、または１２の耳装着構造において、筐体部の側面に音量調節用のボリ
ウムを設けたことを特徴とする耳装着構造。
【手続補正２】
【補正対象書類名】明細書
【補正対象項目名】０００９
【補正方法】変更
【補正の内容】
【０００９】
本発明の耳装着構造は、音発生手段を備えて装着状態で耳の表面上に位置決めされる筐
体部と、筐体部に接続されて耳の裏面側に位置する耳拘束部材とを有する耳装着構造にお
いて、耳拘束部材は、外耳の３方向を拘束して残る１方向へ相対移動の余地を持たせた状
態で両端を筐体部に接続されるとともに、耳拘束部材側へ突出させた２つの支柱を筐体部
に設けて、２つの支柱の突出した先端側で耳拘束部材の片端づつを軸止したものである。
【手続補正３】
【補正対象書類名】明細書
【補正対象項目名】００１０
【補正方法】変更
【補正の内容】
【００１０】
本発明のリズム発生装置は、音発生手段とリズムパラメータの設定スイッチを備えて電
池とリズム発生回路を格納し、装着状態で耳の表面上に位置決めされる筐体部と、筐体部
に接続されて耳の裏面側に位置させる耳拘束部材とを有するリズム発生装置において、耳
拘束部材は、外耳の３方向を拘束して残る１方向へ相対移動の余地を持たせた状態で両端
を筐体部に接続されるとともに、耳拘束部材側へ突出させた２つの支柱を筐体部に設けて
、２つの支柱の突出した先端側で耳拘束部材の片端づつを軸止したものである。
【手続補正４】
【補正対象書類名】明細書
【補正対象項目名】００１１
【補正方法】変更
【補正の内容】
【００１１】
本発明の耳装着構造では、耳拘束部材と筐体部が共働して外耳を緩く保持した状態で筐
体部が耳の表面上に位置決めされる。耳拘束部材は外耳の３方向を拘束して残り１方向に
外耳を相対移動できる。例えば、耳装着構造を後方からスライドさせて外耳の裏面に耳拘
束部材を誘導すると、耳拘束部材は、外耳の裏側を上下および後方の三方向から緩く拘束
して筐体部の上下動に抵抗する。このとき、対向配置された耳拘束部材と筐体部は、それ
ぞれ長い接触長さと広い接触面積を利用して凹凸著しい耳の表面および裏面に対して摩擦
力や外観の噛み合い力を発生させ、残る後方への位置ずれを阻止する。
耳拘束部材は、２つの支柱で軸止位置を持ち上げられているので、支柱の間隔に耳の誘
導経路を確保できる。
ばね手段は、例えば、耳拘束部材と筐体部の間隔に外耳を挟みこんで筐体部を耳面に押
し付け、両者の接触による摩擦を強化して、耳拘束部材と外耳の位置関係、すなわち耳面
上の筐体部位置を一定に保つ。